(57)【要約】【課題】  実施の形態は、人物が照明対象の中心となる撮影スタジオや舞台の照明に適したハロゲンランプと同等の高い演色性を有する照明装置を提供できる。【解決手段】  照明装置１０は、色温度１６００〜３３００Ｋの白色光を発する白色ＬＥＤと、ピーク波長が６６５ｎｍ以上７５０ｎｍ以下の赤色ＬＥＤとを有し、前記白色ＬＥＤ及び前記赤色ＬＥＤの混色点灯時の全光束に対する前記赤色ＬＥＤの光束比が０．８％〜９．９％であり、特殊演色評価数値Ｒ９が８０以上である。【選択図】図１
2020053363.tif 000002
【特許請求の範囲】
【請求項１】
色温度１６００〜３３００Ｋの白色光を発する白色ＬＥＤと；
ピーク波長が６６５ｎｍ以上７５０ｎｍ以下の赤色ＬＥＤと；を有し、
前記白色ＬＥＤ及び前記赤色ＬＥＤの混色点灯時の全光束に対する前記赤色ＬＥＤの光束比が０．８％〜９．９％であり、特殊演色評価数値Ｒ９が８０以上である、
照明装置。
【請求項２】
色温度１６００〜１８００Ｋの白色光を発する白色ＬＥＤと；
ピーク波長が６６５ｎｍ以上７５０ｎｍ以下の赤色ＬＥＤと；を有し、
前記白色ＬＥＤ及び前記赤色ＬＥＤの混色点灯時の全光束に対する前記赤色ＬＥＤの光束比が３．４％〜９．９％である、
照明装置。
【請求項３】
色温度２４００〜２７００Ｋの白色光を発する白色ＬＥＤと；
ピーク波長が６６５ｎｍ以上７５０ｎｍ以下の赤色ＬＥＤと；を有し、
前記白色ＬＥＤ及び前記赤色ＬＥＤの混色点灯時の全光束に対する前記赤色ＬＥＤの光束比が１．１％〜４．４％である、
照明装置。
【請求項４】
色温度３０００〜３３００Ｋの白色光を発する白色ＬＥＤと；
ピーク波長が６６５ｎｍ以上７５０ｎｍ以下の赤色ＬＥＤと；を有し、
前記白色ＬＥＤ及び前記赤色ＬＥＤの混色点灯時の全光束に対する前記赤色ＬＥＤの光束比が０．８％〜３．６％である、
照明装置。
【発明の詳細な説明】
【技術分野】
【０００１】
本発明の実施形態は、発光ダイオード（ＬＥＤ：Light Emitting Diode）ランプ等の照明装置に関する。
【背景技術】
【０００２】
撮影スタジオや舞台等で使用する照明装置が知られている。照明装置は、例えば、開口部を有する箱状の器具本体を有する。器具本体内部には、光源部や制御基板等が収容されている。そして、器具本体の開口部から光源部からの照射光を被照射体を照射する構成を有している。光源部としては、演色性の高いハロゲンランプが用いられていることが多い。演色性は、自然光に近い照明を基準光にして光源部による色の見え方を評価したものであり、ＪＩＳに定められている試験色を、試料光源部と基準光で照明したときの色ずれの大きさを数値化した演色評価数で表される。演色評価数には、平均演色評価数Ｒａと特殊演色評価数Ｒｉがあり、平均演色評価数Ｒａは、試験Ｎｏ．１〜８の演色評価数値の平均値として表される。特殊演色評価数Ｒｉは、試験Ｎｏ．９〜１５の個々の特殊演色評価数値として表される。これらの演色評価数は、基準光源部である白色光源部による色彩を忠実に再現しているかを指数で表したもので、原則として１００に近いほど演色性が良い。
【０００３】
近年、長寿命で信頼性が高く、また低消費電力、耐衝撃性、高純度表示色、軽薄短小化の実現などの特徴を有することから、発光ダイオード（ＬＥＤ）などの固体発光素子を用いた照明装置（ＬＥＤランプ）が使用され始めている。
【０００４】
照明装置は、ＬＥＤランプで白色発光を実現するため、青色発光のＬＥＤチップと黄色光ないし橙色光を発光する黄色系蛍光体とを組み合わせて構成した白色発光ＬＥＤ方式が広く実用化されている。また、照明装置は、青色フィルタと組み合わせることで色温度を調整する等の方法が採られている。
【先行技術文献】
【特許文献】
【０００５】
【特許文献１】特開２００５−０９３９１２号公報
【発明の概要】
【発明が解決しようとする課題】
【０００６】
白色発光ＬＥＤ方式を用いたＬＥＤランプにおいては、分光分布がハロゲンランプと異なる。このため、平均演色評価数Ｒａが低いうえに、特に、試験Ｎｏ．９の特殊演色評価数値Ｒ９（以下では単にＲ９と称する）の演色評価数が低く、肌色の見え方が悪くなる。したがって、人物が照明対象の中心となる撮影スタジオや舞台の照明には不向きであった。この点を改善するため、ハロゲンランプと同等の高い演色性を有する照明装置の開発が望まれている。
【課題を解決するための手段】
【０００７】
実施形態の照明装置は、色温度１８００〜３３００Ｋの白色光を発する白色ＬＥＤと、ピーク波長が６６５ｎｍ以上７５０ｎｍ以下の赤色ＬＥＤとを有する。前記白色ＬＥＤ及び前記赤色ＬＥＤの混色点灯時の全光束に対する前記赤色ＬＥＤの光束比は０．８％〜９．９％であり、特殊演色評価数値Ｒ９が８０以上である。
【発明の効果】
【０００８】
実施形態によると、人物が照明対象の中心となる撮影スタジオや舞台の照明に適したハロゲンランプと同等の高い演色性を有する照明装置を提供できる。
【図面の簡単な説明】
【０００９】
【図１】図１は、第１の実施形態の照明装置を一部切欠して示す正面図である。
【図２】図２は、図１の照明装置の白色ＬＥＤの色温度１６００〜１８００Ｋの範囲における混色点灯時の全光束に対する赤色ＬＥＤの光束比とＲ９の演色評価数との関係を示すグラフである。
【図３】図３は、図１の照明装置の白色ＬＥＤの色温度２４００〜２７００Ｋの範囲における混色点灯時の全光束に対する赤色ＬＥＤの光束比とＲ９の演色評価数との関係を示すグラフである。
【図４】図４は、図１の照明装置の白色ＬＥＤの色温度３０００〜３３００Ｋの範囲における混色点灯時の全光束に対する赤色ＬＥＤの光束比とＲ９の演色評価数との関係を示すグラフである。
【発明を実施するための形態】
【００１０】
照明装置１０は、色温度１８００〜３３００Ｋの白色光を発する白色ＬＥＤ１０１，１０２と、ピーク波長が６６５ｎｍ以上７５０ｎｍ以下の赤色ＬＥＤ１０３とを有し、白色ＬＥＤ１０１，１０２及び赤色ＬＥＤ１０３の混色点灯時の全光束に対する赤色ＬＥＤ１０３の光束比が０．８％〜９．９％であり、特殊演色評価数値Ｒ９が８０以上である。
【００１１】
以下、図面を参照しながら実施形態について詳細に説明する。  
図１は、第１の実施形態の照明装置１０の外観を一部切欠して示す正面図である。
【００１２】
本実施形態のＬＥＤ照明器具型の照明装置１０は、樹脂製或いは金属製の装置本体２０を備えている。この装置本体２０は有底筒状に形成された筐体２１を有している。筐体２１の底部２２には、光源部１００，１００と、これら光源部１００，１００に接続された回路基板２００が設けられている。また、筐体２１の開口２３は透明またはフロスト・乳白のガラスないし樹脂のカバー２４により閉塞されている。筐体２１の開口２３周囲にはバーンドア（遮光板）３０が蝶番３１を介して揺動自在に取り付けられている。
【００１３】
装置本体２０は、フレーム４０に回動支持部４１を介して回動自在に支持されている。
【００１４】
光源部１００には、白色ＬＥＤ１０１，１０２と、赤色ＬＥＤ１０３とが配設されている。白色ＬＥＤ１０１，１０２は、青色発光のＬＥＤチップと黄色光ないし橙色光を発光する黄色系蛍光体とを組み合わせて構成されている。赤色ＬＥＤ１０３は赤色発光のＬＥＤチップであり、また、青色発光のＬＥＤチップと赤色系蛍光体とを組み合わせて構成してもよい。白色ＬＥＤ１０１と白色ＬＥＤ１０２とは同一の色温度のものでも良く、また異なる色温度のものであってもよいが、白色ＬＥＤ１０１，１０２が発生する白色光は、色温度１８００〜３３００Ｋの範囲に設定することにより、従来光源であるハロゲンランプの色温度範囲をカバーできる。
【００１５】
赤色ＬＥＤ１０３が発生する赤色光は、ピーク波長が６６５ｎｍ以上７５０ｎｍ以下に設定されている。この範囲に設定したのは、ピーク波長が６６５ｎｍより低いと光色が大きく変動し、７５０ｎｍより高いと視感度に影響が無くなるためである。
【００１６】
回路基板２００は、白色ＬＥＤ１０１，１０２、及び、赤色ＬＥＤ１０３に電力を供給して明るさを制御すると共に、その割合（光束比）を制御する機能を有している。
【００１７】
光束比の範囲については、下記に示すようにして白色ＬＥＤ１０１，１０２の色温度を３パターン選び、さらに赤色ＬＥＤ１０３のピーク波長が６６５ｎｍ、７０５ｎｍ、７４５ｎｍのものを用いてそれぞれ求めた。なお、演色評価法としては、ＣＩＥ方法あるいはＪＩＳ方法を用いている。
【００１８】
白色ＬＥＤ１０１，１０２の色温度１６００〜１８００Ｋの範囲において、赤色ＬＥＤ１０３の混色点灯時の全光束に対する赤色ＬＥＤ１０３の光束比を０〜９．９％まで変化させた時のＲ９の演色評価数を測定した。なお、演色評価数については８０以上を使用可能とする。
【００１９】
【表１】
2020053363.tif 000003
【００２０】
図２から判るように、ピーク波長を６６５ｎｍ、７０５ｎｍ、７４５ｎｍとした赤色ＬＥＤ１０３のいずれの場合も、混色点灯時の全光束に対する赤色ＬＥＤ１０３の光束比が０．８％〜９．９％（好ましくは３．４％〜９．９％）の場合に演色評価数が８０となる。したがって、混色点灯時の全光束に対する赤色ＬＥＤ１０３の光束比は０．８％〜９．９％とする。
【００２１】
次に、白色ＬＥＤ１０１，１０２の色温度２４００〜２７００Ｋの範囲において、赤色ＬＥＤ１０３の混色点灯時の全光束に対する赤色ＬＥＤ１０３の光束比を０〜５．０％まで変化させた時のＲ９の演色評価数を測定した。なお、演色評価数については８０以上を使用可能とする。
【００２２】
【表２】
2020053363.tif 000004
【００２３】
図３から判るように、ピーク波長を６６５ｎｍ、７０５ｎｍ、７４５ｎｍとした赤色ＬＥＤ１０３のいずれの場合も、混色点灯時の全光束に対する赤色ＬＥＤ１０３の光束比が０．８％〜９．９％（好ましくは１．１％〜４．４％）の場合に演色評価数が８０となる。したがって、混色点灯時の全光束に対する赤色ＬＥＤ１０３の光束比は０．８％〜９．９％とする。
【００２４】
次に、白色ＬＥＤ１０１，１０２の色温度３０００〜３３００Ｋの範囲において、赤色ＬＥＤ１０３の混色点灯時の全光束に対する赤色ＬＥＤ１０３の光束比を０〜９．９％まで変化させた時のＲ９の演色評価数を測定した。なお、演色評価数については８０以上を使用可能とする。
【００２５】
【表３】
2020053363.tif 000005
【００２６】
図４から判るように、ピーク波長を６６５ｎｍ、７０５ｎｍ、７４５ｎｍとした赤色ＬＥＤ１０３のいずれの場合も、混色点灯時の全光束に対する赤色ＬＥＤ１０３の光束比が０．８％〜９．９％（好ましくは０．８％〜３．６％）の場合に演色評価数が８０となる。したがって、混色点灯時の全光束に対する赤色ＬＥＤ１０３の光束比は０．８％〜９．９％とする。
【００２７】
このように構成される実施形態の照明装置１０においては、光源部１００に、色温度１６００〜３３００Ｋの白色ＬＥＤ１０１，１０２、ピーク波長が６６５ｎｍ、７０５ｎｍ又は７４５ｎｍの赤色ＬＥＤ１０３のものを用いた。また、白色ＬＥＤ１０１，１０２及び赤色ＬＥＤ１０３の混色点灯時の全光束に対する赤色ＬＥＤ１０３の光束比を０．８％〜９．９％とした。そうすることにより、Ｒ９の演色評価数８０以上とすることができる。したがって、十分なＲ９について演色評価数が得られ、肌色の見え方が良好となる。したがって、ハロゲンランプと同等の高い演色性が得られ、人物が照明対象の中心となる撮影スタジオや舞台の照明に適した照明装置が得られる。
【００２８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００２９】
なお、上述した白色ＬＥＤは２つの白色ＬＥＤを用いたが１つでも良く、また３つ以上用いてもよい。赤色ＬＥＤは１つの赤色ＬＥＤを用いたが、複数用いても良く、上述したピーク波長の範囲内のものであれば、異なるピーク波長を有するものでも、同じピーク波長を有するものであっても良い。
【符号の説明】
【００３０】
１０…照明装置、２０…装置本体、２１…筐体、１００…光源部、１０１…白色ＬＥＤ，１０２、１０３…赤色ＬＥＤ、２００…回路基板。
【図１】
2020053363.tif 000006
【図２】
2020053363.tif 000007
【図３】
2020053363.tif 000008
【図４】
2020053363.tif 000009